(57)【要約】      （修正有）【課題】本体をできるだけ外部に突出しないように固定できるようにしたマルチ型コンセント装置及びその取付け構造を提供する。【解決手段】前面から内部に向けて複数種のプラグの組に対応した複数種の差込口の組が形成されたボックス状の本体１０を備え、本体をボード部に貫通形成した開口から前面を露出させてボード部に取付け可能にし、本体の前面より本体の前後方向後側に、本体の前後方向に直交する表裏面を有し開口の開口縁部に当接するフランジ１４を設け、このフランジに本体の前後方向に沿う軸線を有しボルトが挿通されるボルト挿通孔１５を複数設け、本体のフランジより前面側をボード部の開口に挿通可能な前面突出部１６として構成した。【選択図】図２
0003224384.tif 000002
【実用新案登録請求の範囲】
【請求項１】
前面から内部に向けて複数種のプラグの組に対応した複数種の差込口の組が形成されたボックス状の本体を備え、前記本体をボード部に貫通形成した開口から前記前面を露出させて前記ボード部に取付け可能にしたマルチ型コンセント装置であって、
前記本体の側面であって前記本体の前面より前記本体の前後方向後側に、前記本体の前後方向に直交する表裏面を有し前記開口の開口縁部に当接するフランジを設け、前記フランジに前記本体の前後方向に沿う軸線を有しボルトが挿通されるボルト挿通孔を複数設け、前記本体のフランジより前面側を前記ボード部の開口に挿通可能な前面突出部として構成したことを特徴とするマルチ型コンセント装置。
【請求項２】
前記前面突出部の前面とフランジの表面との間の前記前面突出部の高さＨを、１ｍｍ≦Ｈ≦５ｍｍ、前記フランジの厚さＤを、１ｍｍ≦Ｄ≦５ｍｍに設定したことを特徴とする請求項１記載のマルチ型コンセント装置。
【請求項３】
前記前面突出部が嵌合する開口部を有し前記開口部から前記前面を露出させて前記フランジの表面を被覆可能な被覆体を備えたことを特徴とする請求項１または２のいずれか１項に記載のマルチ型コンセント装置。
【請求項４】
前記被覆体に複数の係合凸部を設け、前記フランジに前記係合凸部が係合する複数の係合凹部を設けたことを特徴とする請求項３記載のマルチ型コンセント装置。
【請求項５】
前記本体に、前記本体の上記フランジよりも後側から外部に延びるとともに前記差込口から差し込まれたプラグに電源を供給する電源ケーブルを設けたことを特徴とする請求項１乃至４の何れか１項に記載のマルチ型コンセント装置。
【請求項６】
前記電源ケーブルの他端に、プラグボディから一対の板状プラグを突出させたＪＩＳ規格の電源プラグを設けたことを特徴とする請求項５記載のマルチ型コンセント装置。
【請求項７】
前記本体に、前記前面から内部に向けてＵＳＢプラグに対応したＵＳＢ差込口を形成したことを特徴とする請求項１乃至６何れかに記載のマルチ型コンセント装置。
【請求項８】
前記請求項１乃至７何れかに記載のマルチ型コンセント装置が前記ボード部に取付けられたマルチ型コンセント装置の取付け構造であって、前記ボード部の開口を前記前面突出部が嵌合する形状に形成し、前記ボード部の裏面側開口縁部に前記フランジのボルト挿通孔に対応したボルトを立設し、前記本体を、前記ボルトに前記フランジのボルト挿通孔を挿通するとともに前記フランジの表面を前記ボード部の裏面側開口縁部に接合し、前記ボルトにナットを螺合して前記フランジを前記ボード部の裏面側開口縁部に対して押さえて取付けたことを特徴とするマルチ型コンセント装置の取付け構造。
【請求項９】
前記請求項１乃至７何れかに記載のマルチ型コンセント装置、且つ、前記前面突出部が嵌合する開口部を有し前記開口部から前記前面を露出させて前記フランジの表面を被覆可能な被覆体を備えたマルチ型コンセント装置の取付け構造であって、前記ボード部の開口を、前記本体のフランジより後側の後側部が挿通される大きさに形成し、前記本体の後側部を前記ボード部の開口の前側から挿入し、前記本体のフランジの裏面を前記ボード部の表面側開口縁部に接合し、頭付きねじ込みボルトを前記フランジのボルト挿通孔を通して前記ボード部の開口縁部にねじ込み、前記フランジを前記ボード部の表面側開口縁部に対して押さえて前記本体を前記ボード部に取付けるとともに、前記被覆体により前記本体のフランジの表面を被覆したことを特徴とするマルチ型コンセント装置の取付け構造。
【考案の詳細な説明】
【技術分野】
【０００１】
本考案は、複数種のプラグの組に対応した複数種の差込口を有し、１つで多種のプラグに対応できるようにしたマルチ型コンセント装置及びその取付け構造に関する。
【背景技術】
【０００２】
従来、この種のマルチ型コンセント装置としては、例えば、実用新案登録第３０５６３４７号公報（特許文献１）に掲載されたものが知られている。
このマルチ型コンセント装置は、前面から内部に向けて複数種のプラグの組に対応した複数種の差込口の組が形成され内部に差込口から差し込まれたプラグに通電する接続端子を有したボックス状の本体を備え、この本体に、一端が接続端子に接続され他端側が本体の後面から外部に突出させられたＪＩＳ規格の一対の板状プラグを設けて構成されている。
【０００３】
このマルチ型コンセント装置を使用するときは、例えば、ホテルで使用する場合で説明すると、部屋に設けられたＪＩＳ規格のコンセントに、板状プラグを差し込んで取付ける。そして、使用したい電気機器のプラグの組を、この取付けたマルチ型コンセント装置の前面の対応する差込口の組に差込み、電気機器を使用するようにする。
【０００４】
また、従来においては、この種のマルチ型コンセント装置として、例えば、実用新案登録第３０４０６２５号公報（特許文献２）に掲載されたものも知られている。これは、上記とは異なって、本体には一対の板状プラグは設けられておらず、本体の端子に電源線を接続するとともに、本体を壁等に取付けて設置するようにしている。使用の仕方は上記と同様である。
【先行技術文献】
【特許文献】
【０００５】
【特許文献１】実用新案登録第３０５６３４７号公報
【特許文献２】実用新案登録第３０４０６２５号公報
【考案の概要】
【考案が解決しようとする課題】
【０００６】
ところで、前記前者の従来のマルチ型コンセント装置にあっては、逐一部屋のコンセントに差し込み固定しなければならないので、作業が煩雑になるとともに、差し込んだままにしても、取り外しが容易なので、ホテル等では防盗性に劣る。一方、前記後者の従来のマルチ型コンセント装置にあっては、最初から壁等に固定するので、逐一取付けなくてもよく、防盗性にも優れるが、本体が壁から突出するので、ぶつかり易く、破損しやすいという問題があるとともに、突出している分、周囲のスペースを狭めてしまうという問題があった。
【０００７】
本考案はこのような問題点にかんがみてなされたもので、本体をできるだけ外部に突出しないように固定できるようにしたマルチ型コンセント装置及びその取付け構造を提供することを課題とする。
【課題を解決するための手段】
【０００８】
このような課題を解決するための本考案のマルチ型コンセント装置は、請求項１の考案にあっては、前面から内部に向けて複数種のプラグの組に対応した複数種の差込口の組が形成されたボックス状の本体を備え、前記本体をボード部に貫通形成した開口から前記前面を露出させて前記ボード部に取付け可能にしたマルチ型コンセント装置であって、前記本体の側面であって前記本体の前面より前記本体の前後方向後側に、前記本体の前後方向に直交する表裏面を有し前記開口の開口縁部に当接するフランジを設け、前記フランジに前記本体の前後方向に沿う軸線を有しボルトが挿通されるボルト挿通孔を複数設け、前記本体のフランジより前面側を前記ボード部の開口に挿通可能な前面突出部として構成している。
【０００９】
また、ボード部とは、部屋の壁や、部屋に設置される家具の表面部材等板状のものであればどのようなものでも良い。また、ボード部の材質も、木製，金属製，プラスチック製等、どのようなものであっても良い。
【００１０】
このマルチ型コンセント装置の取付けには、ボード部の裏面側から取付ける場合と、ボード部の表面側から取付ける場合の２つの態様がある。
（１）ボード部の裏面側から取付ける場合
例えば、予め、ボード部に、前面突出部が嵌合する開口を貫通形成しておくとともに、ボード部の裏面側開口縁部にフランジに形成したボルト挿通孔に対応したボルトを立設しておく。そして、マルチ型コンセント装置の本体を、ボード部のボルトにフランジのボルト挿通孔を挿通するとともにフランジの表面をボード部の裏面側開口縁部に接合し、ボルトにナットを螺合してフランジをボード部の裏面側開口縁部に対して押さえて本体をボード部に取付ける。
これにより、ボード部の開口に本体の前面突出部が嵌合して挿通され、本体の前面が露出させられる。この場合、本体のフランジを含む後側はボード部の裏面側にあるので、表面側にほとんど突出する部分がなくなる。そのため、ぶつかりにくく、破損しにくくすることができる。また、周囲のスペースを狭めてしまう事態を防止することができる。
【００１１】
（２）ボード部の表面側から取付ける場合
例えば、予め、ボード部に、本体のフランジより後側の後側部が挿通される開口を貫通形成しておく。そして、マルチ型コンセント装置の本体の後側部をボード部の開口の前側から挿入し、本体のフランジの裏面をボード部の表面側開口縁部に接合し、例えば、ビス等の頭付きねじ込みボルトをフランジのボルト挿通孔を通してボード部の開口縁部にねじ込み、フランジをボード部の表面側開口縁部に対して押さえて本体をボード部に取付ける。
この場合、本体の前面突出部及びフランジがボード部の表面側に突出するが、本体のフランジより後側の後側部はボード部の裏面側にあるので、表面側に突出する部分は極めて少なくなる。そのため、ぶつかりにくく、破損しにくくすることができる。また、周囲のスペースを狭めてしまう事態を防止することができる。尚、ねじ込みボルトに限らず、ボルト，ナットを用いてもよい。
【００１２】
また、請求項２の考案は、前記前面突出部の前面とフランジの表面との間の前記前面突出部の高さＨを、１ｍｍ≦Ｈ≦５ｍｍ、前記フランジの厚さＤを、１ｍｍ≦Ｄ≦５ｍｍに設定した構成としている。
ボード部の表面側に突出する部分が多くても１０ｍｍを超えることはないので、表面側に突出する部分を確実に少なくすることができる。特に、本体をボード部の裏面側から取付ける場合には、ボード部の厚さをＴとしたとき、Ｔ≦Ｈに設定されていることが望ましい、本体の前面がボード部の表面とフラットになるか、僅かに突出するだけなので、外観品質を向上させることができるとともに、表面側に突出する部分を確実に少なくすることができる。
【００１３】
更に、請求項３の考案は、前記前面突出部が嵌合する開口部を有し前記開口部から前記前面を露出させて前記フランジの表面を被覆可能な被覆体を備えた構成としている。この構成は、本体をボード部の表面側から取付ける場合に有効になる。即ち、本体のフランジがボード部の表面側に露出するが、このフランジを被覆体で被覆できるので、ビス等の頭を隠すことができ、外観品質を向上させることができる。
【００１４】
更にまた、請求項４の考案は、前記被覆体に複数の係合凸部を設け、前記フランジに前記係合凸部が係合する複数の係合凹部を設けた構成としている。これにより、被覆体の取付けを容易にすることができる。
【００１５】
また、請求項５の考案は、前記本体に、前記本体の上記フランジよりも後側から外部に延びるとともに前記差込口から差し込まれたプラグに電源を供給する電源ケーブルを設けた構成としている。本体の取付け後の配線を容易にすることができる。
【００１６】
更に、請求項６の考案は、前記電源ケーブルの他端に、プラグボディから一対の板状プラグを突出させたＪＩＳ規格の電源プラグを設けた構成としている。電源プラグをＪＩＳ規格のコンセントに差し込むだけで電源ケーブルの配線を行うことができるので、配線作業を極めて容易に行うことができる。
【００１７】
更にまた、請求項７の考案は、前記本体に、前記前面から内部に向けてＵＳＢプラグに対応したＵＳＢ差込口を形成した構成としている。ＵＳＢプラグも接続できるので、装置の機能が拡大し、汎用性を向上させることができる。
【００１８】
そしてまた、前記の課題を解決するための本考案のマルチ型コンセント装置の取付け構造は、請求項８の考案にあっては、前記のマルチ型コンセント装置が前記ボード部に取付けられたマルチ型コンセント装置の取付け構造であって、前記ボード部の開口を前記前面突出部が嵌合する形状に形成し、前記ボード部の裏面側開口縁部に前記フランジのボルト挿通孔に対応したボルトを立設し、前記本体を、前記ボルトに前記フランジのボルト挿通孔を挿通するとともに前記フランジの表面を前記ボード部の裏面側開口縁部に接合し、前記ボルトにナットを螺合して前記フランジを前記ボード部の裏面側開口縁部に対して押さえて取付けた構成としている。
【００１９】
これは前記の本体をボード部の裏面側から取付ける場合の取付け構造であり、予め、ボード部に、マルチ型コンセント装置の本体の前面突出部が嵌合する開口を形成しておくとともに、ボード部の裏面側開口縁部にフランジに形成したボルト挿通孔に対応したボルトを立設しておく。
そして、本体を、ボード部のボルトにフランジのボルト挿通孔を挿通するとともにフランジの表面をボード部の裏面側開口縁部に接合し、ボルトにナットを螺合してフランジをボード部の裏面側開口縁部に対して押さえて取付ける。
これにより、ボード部の開口に本体の前面突出部が嵌合して挿通され、本体の前面が露出させられる。この場合、本体のフランジを含む後側はボード部の裏面側にあるので、表面側にほとんど突出する部分がなくなる。そのため、ぶつかりにくく、破損しにくくすることができる。また、周囲のスペースを狭めてしまう事態を防止することができる。他の作用，効果は前記と同様である。
【００２０】
更に、請求項９の考案は、前記のマルチ型コンセント装置、且つ、前記前面突出部が嵌合する開口部を有し前記開口部から前記前面を露出させて前記フランジの表面を被覆可能な被覆体を備えたマルチ型コンセント装置の取付け構造であって、前記ボード部の開口を、前記本体のフランジより後側の後側部が挿通される大きさに形成し、前記本体の後側部を前記ボード部の開口の前側から挿入し、前記本体のフランジの裏面を前記ボード部の表面側開口縁部に接合し、頭付きねじ込みボルトを前記フランジのボルト挿通孔を通して前記ボード部の開口縁部にねじ込み、前記フランジを前記ボード部の表面側開口縁部に対して押さえて前記本体を前記ボード部に取付けるとともに、前記被覆体により前記本体のフランジの表面を被覆した構成としている。
【００２１】
これは、前記の本体をボード部の表面側から取付ける場合の取付け構造であって、予め、ボード部に、マルチ型コンセント装置の本体のフランジより後側の後側部が挿通される開口を貫通形成しておく。
そして、本体の後側部をボード部の開口の前側から挿入し、本体のフランジの裏面をボード部の表面側開口縁部に接合し、例えば、ビス等の頭付きねじ込みボルトをフランジのボルト挿通孔を通してボード部の開口縁部にねじ込み、フランジをボード部の表面側開口縁部に対して押さえて本体をボード部に取付ける。次に、フランジに被覆体で被覆する。この場合、本体の前面突出部及びフランジがボード部の表面側に突出するが、本体のフランジより後側はボード部の裏面側にあるので、表面側に突出する部分は極めて少なくなる。そのため、ぶつかりにくく、破損しにくくすることができる。
また、周囲のスペースを狭めてしまう事態を防止することができる。また、本体のフランジがボード部の表面側に露出するが、このフランジを被覆体で被覆できるので、ビス等の頭を隠すことができ、外観品質を向上させることができる。他の作用は前記と同様である。
【考案の効果】
【００２２】
本考案のマルチ型コンセント装置は、請求項１の考案にあっては、本体の側面にボード部の開口縁に当接するフランジを設け、本体のフランジより前面側をボード部の開口に挿通可能な前面突出部として構成したので、フランジをボード部の裏面側開口縁部に対して押さえて取付け、あるいは、フランジをボード部の表面側開口縁部に対して押さえて本体をボード部に取付けることができる。
この場合、本体の後側はボード部の裏面側にあるので、表面側にほとんど突出する部分がなくなる。そのため、ぶつかりにくく、破損しにくくすることができる。また、周囲のスペースを狭めてしまう事態を防止することができる。
【００２３】
また、請求項２の考案にあっては、前面突出部の高さＨを、１ｍｍ≦Ｈ≦５ｍｍ、フランジの厚さＤを、１ｍｍ≦Ｄ≦５ｍｍに設定したので、ボード部の表面側に突出する部分が多くても１０ｍｍを超えることはないので、表面側に突出する部分を確実に少なくすることができる。
特に、本体をボード部の裏面側から取付ける場合には、ボード部の厚さをＴとしたとき、Ｔ≦Ｈに設定すれば、本体の前面がボード部の表面とフラットになるか、僅かに突出するだけなので、外観品質を向上させることができるとともに、表面側に突出する部分を確実に少なくすることができる。
【００２４】
更に、請求項３の考案にあっては、フランジの表面を被覆可能な被覆体を備えたので、本体をボード部の表面側から取付ける場合に、フランジを被覆体で被覆してビス等の頭を隠すことができ、外観品質を向上させることができる。
【００２５】
更にまた、請求項４の考案にあっては、被覆体を、その係合凸部をフランジの係合凹部に係合させて取付けるので、被覆体の取付けを容易にすることができる。
【００２６】
また、請求項５の考案にあっては、本体に端子に電源を供給する電源ケーブルを設けたので、本体の取付け後の配線を容易にすることができる。
【００２７】
更に、請求項６の考案にあっては、電源ケーブルの他端にＪＩＳ規格の電源プラグを設けたので、電源プラグをＪＩＳ規格のコンセントに差し込むだけで電源ケーブルの配線を行うことができることから、配線作業を極めて容易に行うことができる。
【００２８】
更にまた、請求項７の考案にあっては、本体にＵＳＢプラグに対応したＵＳＢ差込口を形成したので、ＵＳＢプラグも接続できることから、装置の機能が拡大し、汎用性を向上させることができる。
【００２９】
また、請求項８のマルチ型コンセント装置の取付け構造に係る考案にあっては、前記の本体をボード部の裏面側から取付ける場合の取付け構造であり、本体のフランジの表面をボード部の裏面側開口縁部に接合して、フランジをボード部の裏面側開口縁部に対して押さえて取付ける。これにより、ボード部の開口に本体の前面突出部が嵌合して挿通され、本体の前面が露出させられる。この場合、本体のフランジを含む後側はボード部の裏面側にあるので、表面側にほとんど突出する部分がなくなる。そのため、ぶつかりにくく、破損しにくくすることができる。また、周囲のスペースを狭めてしまう事態を防止することができる。
【００３０】
更に、請求項９のマルチ型コンセント装置の取付け構造に係る考案にあっては、前記の本体をボード部の表面側から取付ける場合の取付け構造であり、本体のフランジの裏面をボード部の表面側開口縁部に接合し、フランジをボード部の表面側開口縁部に対して押さえて本体をボード部に取付ける。また、フランジに被覆体で被覆する。この場合、本体の前面突出部及びフランジがボード部の表面側に突出するが、本体のフランジより後側はボード部の裏面側にあるので、表面側に突出する部分は極めて少なくなる。そのため、ぶつかりにくく、破損しにくくすることができる。また、周囲のスペースを狭めてしまう事態を防止することができる。また、本体のフランジがボード部の表面側に露出するが、このフランジを被覆体で被覆できるので、ビス等の頭を隠すことができ、外観品質を向上させることができる。
【図面の簡単な説明】
【００３１】
【図１】本考案に係るマルチ型コンセント装置の一実施形態の取付け例を示す斜視図である。
【図２】本考案に係るマルチ型コンセント装置の一実施形態を示し、（ａ）は分解斜視図、（ｂ）は本体の構成を示す背面斜視図である。
【図３】本考案に係るマルチ型コンセント装置の一実施形態に係る本体を示し、（ａ）は平面図、（ｂ）は正面図、（ｃ）は左側面図である。
【図４】本考案に係るマルチ型コンセント装置の取付け構造の一実施形態であって、本体をボード部の裏面側から取付ける場合の取付け構造を示す横断面図である。
【図５】本考案に係るマルチ型コンセント装置の取付け構造の一実施形態であって、本体をボード部の裏面側から取付ける場合の取付け構造を示し、（ａ）はボード部の表面側から見た図、（ｂ）はボード部の裏面側から見た図である。
【図６】本考案に係るマルチ型コンセント装置の取付け構造の一実施形態であって、本体をボード部の表面側から取付ける場合の取付け構造を示す横断面図である。
【図７】本考案に係るマルチ型コンセント装置の取付け構造の一実施形態であって、本体をボード部の表面側から取付ける場合の取付け構造を示し、（ａ）はボード部の表面側から見た図、（ｂ）はボード部の裏面側から見た図である。
【図８】本考案に係るマルチ型コンセント装置の別の実施形態を示す斜視図である。
【考案を実施するための形態】
【００３２】
以下、添付図面に基づいて、本考案の実施の形態に係るマルチ型コンセント装置及びその取付け構造について詳細に説明する。
図１乃至図７に示すように、本考案の実施の形態に係るマルチ型コンセント装置Ｓは、前面１１から内部に向けて複数種のプラグの組（図示せず）に対応した複数種の差込口１２の組が形成され、内部に差込口１２から差し込まれたプラグに通電する接続端子（図示せず）を有したボックス状の樹脂製の本体１０を備え、本体１０をボード部Ｂに貫通形成した開口Ｂａ（図４乃至図７）から前面１１を露出させて取付け可能にしたものである。
【００３３】
ボード部Ｂとは、部屋の壁や、部屋に設置される家具の表面部材等板状のものであればどのようなものでも良い。また、ボード部Ｂの材質も、木製，金属製，プラスチック製等、どのようなものであっても良い。
図１には、ボード部Ｂの例として、例えば、ホテルの部屋に置かれるベッドＷの例を示す。このベッドにＷおいて、ボード部Ｂとしては、ベッドＷの木製の頭部壁Ｐａ及びこれに設けられる所謂ナイトパネルＰｂが対象になるものとして挙げることができる。ナイトパネルＰｂは、例えば、ベッドＷの木製の頭部壁Ｐａに嵌め込まれ、金属製のパネルに、室内の照明，エアコン，ラジオ等をまとめて操作することができる操作ボタンや時計の表示板等が設けられたコントロールパネルである。
図１においては、実施の形態に係るマルチ型コンセント装置Ｓを、ナイトパネルＰｂに取付けた例を示している。後述もするように、実施の形態に係るマルチ型コンセント装置Ｓを頭部壁Ｐａに取付けるようにしてもよい。
【００３４】
また、差込口１２の組は、プラグの組の種類に合わせて選択的に設けることができる。実施の形態では、図２（ａ）に示すように、イギリス，香港，タイ，シンガポール，マレーシア等の電気機器用のＢＦタイプ（図中（ａ−ｂ−ｃ）の組）、イタリア，オーストリア，フランス，スイス，ベルギー等の電気機器用のＣ・ＳＥタイプ（図中（ｆ−ｇ）の組）、オーストラリア，中国，ニュージーランド，フィリピン等の電気機器用のＯタイプ（図中（ｄ−ｅ）の組）、中国等の電気機器用のＯ２タイプ（図中（ｄ−ｅ−ｃ）の組）、アラブ首長国連邦，インドネシア，エジプト，マレーシア，シンガポール等の電気機器用のＢ３タイプ（図中（ｆ−ｇ−ｈ）の組）が選択的に設けられている。差込口１２の組の種類はこれに限定されるものではない。
【００３５】
実施の形態に係るマルチ型コンセント装置Ｓにおいて、本体１０の側面１３であって本体１０の前面１１より本体１０の前後方向後側には、本体１０の前後方向に直交する表面及び裏面を有し開口Ｂａの開口縁部Ｂｂに当接するフランジ１４が設けられている。
フランジ１４の外形は矩形状に形成されている。このフランジ１４には、本体１０の前後方向に沿う軸線を有しボルトが挿通されるボルト挿通孔１５が複数設けられている。実施の形態では、ボルト挿通孔１５は４つ設けられ、フランジ１４の各コーナー部に夫々設けられている。
【００３６】
そして、本体１０のフランジ１４より前面１１側がボード部Ｂの開口Ｂａに挿通可能な前面突出部１６として構成され、フランジ１４より後側が後側部１７として構成されている。前面突出部１６は矩形状に形成され、後側部１７は円柱状に形成されている。図３に示すように、本体１０は、例えば、その全長Ｌａが、Ｌａ＝３６．３ｍｍ、フランジ１４の縦の長さＬｂが、Ｌｂ＝５４ｍｍ、横の長さＬｃが、Ｌｃ＝６０ｍｍに設定されている。寸法はこれに限定されるものではない。
【００３７】
また、前面突出部１６の前面１１とフランジ１４の表面との間の前面突出部１６の高さＨが、１ｍｍ≦Ｈ≦５ｍｍ、フランジ１４の厚さＤが、１ｍｍ≦Ｄ≦５ｍｍに設定されている。本実施の形態では、Ｈ＝３．７ｍｍ、Ｄ＝３．７ｍｍに設定されている。寸法はこれに限定されるものではない。
【００３８】
また、実施の形態では、図２，図６及び図７に示すように、前面突出部１６が嵌合する矩形状の開口部２１を有し、開口部２１から前面１１を露出させてフランジ１４の表面を被覆可能な外形が矩形状の樹脂製の被覆体２０が備えられている。被覆体２０の厚さは、前面突出部１６と略同じに設定されている。
この被覆体２０の裏面側には、複数のフック状の係合凸部２２が設けられており、一方、フランジ１４には、係合凸部２２が係合する複数の係合凹部２３が設けられている。係合凸部２２は、被覆体２０の相対向する２つの辺に、夫々、一対ずつ設けられており、係合凸部２２はこれに対応して、フランジ１４の相対向する２つの辺に、夫々、一対ずつ設けられている。この被覆体２０は、後述するように、本体１０をボード部Ｂの裏面側から取付ける場合には使用されず、本体１０をボード部Ｂの表面側から取付ける場合に使用される。
【００３９】
また、本体１０には、一端が内部の接続端子に接続され他端側が本体１０のフランジ１４よりも後側から外部に延びるとともに端子に電源を供給する電源ケーブル２５が設けられている。図２（ａ）に示すように、この電源ケーブル２５の他端には、プラグボディから一対の板状プラグを突出させたＪＩＳ規格の電源プラグ２６が設けられている。
【００４０】
更に、本体１０には、前面１１から内部に向けてＵＳＢプラグ（図示せず）に対応したＵＳＢ差込口３０が形成されており、内部にはＵＳＢ差込口３０から差し込まれたＵＳＢプラグに接続されるＵＳＢ接続端子（図示せず）が設けられている。
また、本体１０には、一端がＵＳＢ接続端子に接続され他端側が本体１０のフランジ１４よりも後側から外部に延びるとともにＵＳＢ接続端子に電源を供給するＵＳＢ電源ケーブル３１が設けられている。尚、例えば、ＡＣ１００ＶをＤＣ５Ｖに変圧及びＡＤ変換する変換器を本体１０内に内蔵する場合には、ＵＳＢ電源ケーブル３１は不要になる。
【００４１】
従って、この実施の形態に係るマルチ型コンセント装置Ｓをボード部Ｂに取付けるときは、実施の形態に係る取付け構造とともに説明すると以下のようになる。この実施の形態に係るマルチ型コンセント装置Ｓの取付けには、ボード部Ｂの裏面側から取付ける場合と、ボード部Ｂの表面側から取付ける場合の２つの態様がある。以下、場合を分けて説明する。
【００４２】
（１）ボード部Ｂの裏面側から取付ける場合
ここでは、図１示すように、ホテルの部屋に置かれるベッドＷに設けられる所謂ナイトパネルＰｂの金属ボード部Ｂに対して取付ける場合で説明する。ボード部Ｂの厚さＴは、例えば、Ｔ＝１．７ｍｍになっている。よって、本例においては、前面突出部１６の高さＨが、Ｈ＝３．７ｍｍなので、をＴ≦Ｈに設定されていることになる。また、この取付けの場合には、被覆体２０は使用しない。
【００４３】
図４及び図５に示すように、予め、ボード部Ｂに、前面突出部１６が嵌合する開口Ｂａを貫通形成しておくとともに、ボード部Ｂの裏面側の開口縁部Ｂｂにフランジ１４に形成したボルト挿通孔１５に対応したボルト４０を立設しておく。そして、マルチ型コンセント装置Ｓの本体１０を、ボード部Ｂのボルト４０にフランジ１４のボルト挿通孔１５を挿通するとともにフランジ１４の表面をボード部Ｂの裏面側開口縁部Ｂｂに接合し、ボルト４０にナット４１を螺合してフランジ１４をボード部Ｂの裏面側開口縁部Ｂｂに対して押さえて本体１０をボード部Ｂに取付ける。これにより、ボード部Ｂの開口Ｂａに本体１０の前面突出部１６が嵌合して挿通され、本体１０の前面１１が露出させられる。
【００４４】
本体１０を取付けたならば、電源ケーブル２５やＵＳＢ電源ケーブル３１の接続を行う。電源ケーブル２５においては、電源プラグ２６をＪＩＳ規格のコンセントに差し込む。この場合、電源プラグ２６を既存のコンセントに差し込むことで配線ができるので、配線作業を極めて容易に行うことができる。
【００４５】
このように取付けられたマルチ型コンセント装置Ｓにおいては、Ｔ≦Ｈに設定されているので、ボード部Ｂの表面側に突出する部分を確実に少なくすることができる。即ち、本体１０の前面１１がボード部Ｂの表面より僅かに突出する（実施の形態では、Ｔ＝１．７ｍｍ，Ｈ＝３．７ｍｍなので、前面突出部１６が２ｍｍ突出する）。
この突出量はほんの僅かであることから、前面１１が開口Ｂａに没する場合に比較して、外観品質を向上させることができる。また、本体１０のフランジ１４を含む後側はボード部Ｂの裏面側にあり、ボード部Ｂの表面側にはほんの僅か突出するだけなので、ぶつかりにくく、破損しにくくすることができる。また、周囲（ベッドＷ）のスペースを狭めてしまう事態を防止することができる。
【００４６】
また、マルチ型コンセント装置Ｓにおいては、複数種の差込口１２の組に、選択的に複数種のプラグの組を差し込むことができる。この場合、ＵＳＢ差込口３０に、ＵＳＢプラグも接続できるので、装置の機能が拡大し、汎用性を向上させることができる。
【００４７】
（２）ボード部Ｂの表面側から取付ける場合
ここでは、図１示すように、ホテルの部屋に置かれるベッドＷの木製の頭部壁Ｐａに設ける場合で説明する。ここでは、被覆体２０を使用する。図６及び図７に示すように、予め、ボード部Ｂに、本体１０のフランジ１４より後側の後側部１７が挿通される開口Ｂａを貫通形成しておく。
実施の形態では、開口Ｂａは、後側部１７の形状に合わせて円形に形成する。そして、マルチ型コンセント装置Ｓの本体１０の後側部１７をボード部Ｂの開口Ｂａの前側から挿入し、本体１０のフランジ１４の裏面をボード部Ｂの表面側の開口縁部Ｂｂに接合し、例えば、ビス等の頭付きねじ込みボルト４３をフランジ１４のボルト挿通孔１５を通してボード部Ｂの開口縁部Ｂｂにねじ込み、フランジ１４をボード部Ｂの表面側開口縁部Ｂｂに対して押さえて本体１０をボード部Ｂに取付ける。
【００４８】
次に、被覆体２０を、ボード部Ｂの表面側からフランジ１４に取付ける。この場合、被覆体２０の係合凸部２２をフランジ１４の係合凹部２３に係合するので、被覆体２０の取付けを容易にすることができる。
本体１０を取付けたならば、電源ケーブル２５やＵＳＢ電源ケーブル３１の接続を行う。電源ケーブル２５においては、電源プラグ２６をＪＩＳ規格のコンセントに差し込む。この場合、電源プラグ２６を既存のコンセントに差し込むことで配線ができるので、配線作業を極めて容易に行うことができる。
【００４９】
このように取付けられたマルチ型コンセント装置Ｓにおいては、図６及び図７（ａ）に示すように、本体１０のフランジ１４がボード部Ｂの表面側に露出するが、このフランジ１４を被覆体２０で被覆するので、ビス等の頭を隠すことができ、外観品質を向上させることができる。また、ボード部Ｂの表面側には、被覆体２０，前面突出部１６及びフランジ１４が突出するが、本体１０のフランジ１４より後側の後側部１７はボード部Ｂの裏面側にあるので、表面側に突出する部分は極めて少なくなる。そのため、ぶつかりにくく、破損しにくくすることができる。
また、周囲のスペースを狭めてしまう事態を防止することができる。特に、実施の形態では、被覆体２０の厚さは、前面突出部１６と略同じに設定され、前面突出部１６の高さＨを、１ｍｍ≦Ｈ≦５ｍｍ、フランジ１４の厚さＤを、１ｍｍ≦Ｄ≦５ｍｍに設定した構成としているので、ボード部Ｂの表面側に突出する部分が多くても１０ｍｍを超えることはないので、ボード部Ｂの表面側に突出する部分を確実に少なくすることができる。
【００５０】
このマルチ型コンセント装置Ｓにおいても、複数種の差込口１２の組に、選択的に複数種のプラグの組を差し込むことができる。この場合、ＵＳＢ差込口３０に、ＵＳＢプラグも接続できるので、装置の機能が拡大し、汎用性を向上させることができる。
【００５１】
図８には、本考案の別の実施の形態に係るマルチ型コンセント装置Ｓを示す。前記の実施の形態に係るマルチ型コンセント装置Ｓは、本体１０をボード部Ｂの裏面側及び表面側のいずれからも取付けることができるタイプであるが、この別の実施の形態に係るマルチ型コンセント装置Ｓは、本体１０をボード部Ｂの裏面側から取付ける専用の装置である。本装置は、前記と異なって、本体１０に設けたフランジ１４が、左右一対の矩形板状のウイング状に形成されており、これらに、夫々、ボルト挿通孔１５が形成されている。本体１０の後側部１７は直方体状に形成されている。ＵＳＢ差込口３０は設けられていないが、これを設けることができることは勿論である。これによっても、本体１０をボード部Ｂの裏面側から取付けた際の作用，効果は前記と同様である。
【００５２】
尚、上記実施の形態にあって、フランジ１４の形状は、上述したものに限定されるものではなく、適宜変更して差支えない。また、ボード部Ｂの形態も上述したベッドＷの頭部壁ＰａやナイトパネルＰｂに限定されるものではなく、例えば部屋の壁に設ける等、適宜変更して差し支えない。要するに、本考案は、上述した実施の形態に限定されず、当業者は、本考案の新規な教示及び効果から実質的に離れることなく、これら例示である実施の形態に多くの変更を加えることが容易であり、これらの多くの変更は本考案の範囲に含まれる。
【符号の説明】
【００５３】
Ｓ  マルチ型コンセント装置
Ｗ  ベッド
Ｐａ  頭部壁
Ｐｂ  ナイトパネル
Ｂ  ボード部
Ｂａ  開口
Ｂｂ  開口縁部
１０  本体
１１  前面
１２（ａ，ｂ，ｃ，ｄ，ｅ，ｆ，ｇ，ｈ）  差込口
１３  側面
１４  フランジ
１５  挿通孔
１６  前面突出部
１７  後側部
２０  被覆体
２１  開口部
２２  係合凸部
２３  係合凹部
２５  電源ケーブル
２６  電源プラグ
３０  ＵＳＢ差込口
３１  ＵＳＢ電源ケーブル
４０  ボルト
４１  ナット
４３  ねじ込みボルト
【図１】
0003224384.tif 000003
【図２】
0003224384.tif 000004
【図３】
0003224384.tif 000005
【図４】
0003224384.tif 000006
【図５】
0003224384.tif 000007
【図６】
0003224384.tif 000008
【図７】
0003224384.tif 000009
【図８】
0003224384.tif 000010